(57)【要約】【課題】傾斜屋根部の傾斜が異なっていても、傾斜屋根部の軒部の傾斜部化粧部材として材軸方向に対して垂直に切った部材断面が略同一のものを用いることができる屋根構造を提供する。【解決手段】陸屋根部１の端面と傾斜屋根部２の端面とが連続する屋根構造において、陸屋根部１の軒部の化粧部材３の端面に略水平な追加化粧部材４が設けられており、傾斜屋根部２の軒部の傾斜部化粧部材５として、追加化粧部材４と材軸方向に対して垂直に切った部材断面が略同一のものを用いており、陸屋根部１と傾斜屋根部２の軒部において、追加化粧部材４の端面と傾斜部化粧部材５の端面とが、略線対称に形成され接続された構成とされている。【選択図】図２
2014196610.tif 000002
【特許請求の範囲】
【請求項１】
陸屋根部の端面と傾斜屋根部の端面とが連続する屋根構造において、
前記陸屋根部の軒部の化粧部材の端面に略水平な追加化粧部材が設けられており、
前記傾斜屋根部の軒部の傾斜部化粧部材として、前記追加化粧部材と材軸方向に対して垂直に切った部材断面が略同一のものを用いており、
前記陸屋根部と前記傾斜屋根部の軒部において、前記追加化粧部材の端面と前記傾斜部化粧部材の端面とが、略線対称に形成され接続されていることを特徴とする屋根構造。
【請求項２】
少なくとも前記傾斜部化粧部材が長手方向に分割された分割部材から成り、前記追加化粧部材と連続する部分の分割部材が予め接続されていることを特徴とする請求項１に記載の屋根構造。
【請求項３】
前記追加化粧部材は、上側部分と下側部分とが、間隔をあけて分離されており、この間隔をあけた部分に換気口が形成されていることを特徴とする請求項１又は２に記載の屋根構造。
【請求項４】
前記追加化粧部材と前記傾斜部化粧部材とは、同一の型枠を用いて形成されていることを特徴とする請求項１乃至３のいずれか１項に記載の屋根構造。
【発明の詳細な説明】
【技術分野】
【０００１】
本発明は、陸屋根部の端面と傾斜屋根部の端面とが連続する屋根構造に関するものである。
【背景技術】
【０００２】
従来から、建物のバリエーションとして、陸屋根部の端面と傾斜屋根部の端面とが連続する屋根構造が多く実施されている（特許文献１，２等を参照）。
【先行技術文献】
【特許文献】
【０００３】
【特許文献１】特開平０６−７３８２４号公報
【特許文献２】特開２０１０−１７１０号公報
【発明の概要】
【発明が解決しようとする課題】
【０００４】
上記した特許文献１，２をはじめとした従来の屋根構造では、陸屋根部と傾斜屋根部の軒部において、化粧部材同士を突き合わせて連続させるには、軒先回りの一体感を出すため、化粧部材同士の端面を近似させる必要があった。
【０００５】
また、近年では、化粧部材の内部空間を軒換気構造に利用することが多々有り、こうした軒換気構造を正常に機能させるためにも、内部空間がうまく連通するように化粧部材同士の端面を近似させる必要があった。
【０００６】
しかしながら、通常、陸屋根部の軒部の化粧部材の端面は、傾斜屋根部の傾斜が異なっても同じ角度で形成されていたため、傾斜屋根部の傾斜を異ならせるごとに、傾斜屋根部の軒部の傾斜部化粧部材として、材軸方向に対して垂直に切った部材断面の大きさが異なるものを用いる必要があり、例えば、傾斜部化粧部材を押出成形方法で製造する場合には、傾斜屋根部の傾斜が異なるケースごとに対応する型枠をそれぞれ用意しなければならなかった。
【０００７】
そこで、本発明は、傾斜屋根部の傾斜が異なっていても、傾斜屋根部の軒部の傾斜部化粧部材として材軸方向に対して垂直に切った部材断面が略同一のものを用いることができる屋根構造を提供することを目的としている。
【課題を解決するための手段】
【０００８】
前記目的を達成するために、本発明の屋根構造は、陸屋根部の端面と傾斜屋根部の端面とが連続する屋根構造において、前記陸屋根部の軒部の化粧部材の端面に略水平な追加化粧部材が設けられており、前記傾斜屋根部の軒部の傾斜部化粧部材として、前記追加化粧部材と材軸方向に対して垂直に切った部材断面が略同一のものを用いており、前記陸屋根部と前記傾斜屋根部の軒部において、前記追加化粧部材の端面と前記傾斜部化粧部材の端面とが、略線対称に形成され接続されていることを特徴とする。
【０００９】
ここで、少なくとも前記傾斜部化粧部材が長手方向に分割された分割部材から成り、前記追加化粧部材と連続する部分の分割部材が予め接続されているとよい。
【００１０】
また、前記追加化粧部材は、上側部分と下側部分とが、間隔をあけて分離されており、この間隔をあけた部分に換気口が形成されていてもよい。
【００１１】
さらに、前記追加化粧部材と前記傾斜部化粧部材とは、同一の型枠を用いて形成されているとよい。
【発明の効果】
【００１２】
このような本発明の屋根構造は、陸屋根部の端面と傾斜屋根部の端面とが連続する屋根構造において、陸屋根部の軒部の化粧部材の端面に略水平な追加化粧部材が設けられており、傾斜屋根部の軒部の傾斜部化粧部材として、追加化粧部材と材軸方向に対して垂直に切った部材断面が略同一のものを用いており、陸屋根部と傾斜屋根部の軒部において、追加化粧部材の端面と傾斜部化粧部材の端面とが、略線対称に形成され接続された構成とされている。
【００１３】
こうした構成なので、傾斜屋根部の傾斜が異なっていても、傾斜屋根部の軒部の傾斜部化粧部材として材軸方向に対して垂直に切った部材断面が略同一のものを用いることができる。
【００１４】
特に、傾斜部化粧部材を押出成形方法で製造する場合では、様々なケースでも同一の型枠を用いることができる。
【００１５】
そのうえ、軒換気構造を採用する場合などにも、化粧部材の端面同士の複雑なディテールを容易に突き合わせた状態とし、軒換気構造を正常に機能させることができる。
【００１６】
ここで、少なくとも傾斜部化粧部材が長手方向に分割された分割部材から成り、追加化粧部材と連続する部分の分割部材が予め接続されている場合は、現場での連続する部分の接続作業を省略することができ、施工性が良い。
【００１７】
また、追加化粧部材は、上側部分と下側部分とが、間隔をあけて分離されており、この間隔をあけた部分に換気口が形成されている場合は、軒換気構造の換気口を容易に形成することができる。
【００１８】
さらに、追加化粧部材と傾斜部化粧部材とは、同一の型枠を用いて形成されている場合は、別々の型枠を用意する必要が無く、その分、低コストで実施することができる。
【図面の簡単な説明】
【００１９】
【図１】実施例１の屋根構造を備えた建物の概略構成を示す斜視図である。
【図２】図１におけるＡ方向線矢視図であって、実施例１の屋根構造（傾斜屋根部が急勾配の場合）の概略構成を示す説明図である。
【図３】実施例１の接続部を形成する接続部構成部材の概略構成を示す説明図である。
【図４】実施例１の屋根構造（傾斜屋根部が緩勾配の場合）の概略構成を示す説明図である。
【図５】実施例２の屋根構造の概略構成を示す説明図である。
【図６】実施例２の接続部を形成する接続部構成部材の概略構成を示す説明図である。
【発明を実施するための形態】
【００２０】
以下、本発明を実施するための形態を、図面に示す実施例１，２に基づいて説明する。
【実施例１】
【００２１】
先ず、実施例の構成について説明する。
【００２２】
図１は、実施例１の屋根構造を備えた建物Ｂの概略構成を示している。
【００２３】
この実施例１の屋根構造は、図２に示したように、陸屋根部１の端面と傾斜屋根部２の端面とが連続する屋根構造である。
【００２４】
ここで、陸屋根部１の軒部の化粧部材３の端面には、略水平な追加化粧部材４が設けられている。
【００２５】
さらに、追加化粧部材４の端面には、傾斜屋根部２の軒部の傾斜部化粧部材５が設けられている。
【００２６】
この傾斜部化粧部材５には、追加化粧部材４と材軸方向に対して垂直に切った部材断面が略同一のものが用いられている。
【００２７】
そして、追加化粧部材４の端面と傾斜部化粧部材５の端面とは略線対称に形成され接続されている。
【００２８】
また、傾斜部化粧部材５は、図１に示したように、長手方向に分割された分割部材５ａ，５ｂ，・・・から成る。
【００２９】
さらに、追加化粧部材４と追加化粧部材と連続する部分の分割部材５ａとは、図３に示したように、工場等で予め接続され、接続部構成部材６として加工されている。
【００３０】
具体的には、この接続部構成部材６は、同一の型枠で形成した、追加化粧部材４と、分割部材５ａとを、リベット止めなどで接続して成る。
【００３１】
なお、分割部材５ｂ，・・・も同一の型枠を用いて形成されている。
【００３２】
図４に示した屋根構造は、図２に示した屋根構造よりも傾斜屋根部２の勾配を緩やかにした場合のものであり、追加化粧部材４の端面と傾斜部化粧部材５の端面の切り口角度が異なる以外は、略同様にして実施することができる。
【００３３】
なお、この図４に示した屋根構造における追加化粧部材４及び傾斜部化粧部材５も、図２に示した屋根構造と同一の型枠により形成されている。
【００３４】
次に、実施例１の作用効果について説明する。
【００３５】
このような実施例１の屋根構造は、陸屋根部１の端面と傾斜屋根部２の端面とが連続する屋根構造において、陸屋根部１の軒部の化粧部材３の端面に略水平な追加化粧部材４が設けられており、傾斜屋根部２の軒部の傾斜部化粧部材５として、追加化粧部材４と材軸方向に対して垂直に切った部材断面が略同一のものを用いており、陸屋根部１と傾斜屋根部２の軒部において、追加化粧部材４の端面と傾斜部化粧部材５の端面とが、略線対称に形成され接続された構成とされている。
【００３６】
こうした構成なので、図１に示した傾斜屋根部２が急勾配の屋根構造や図２に示した傾斜屋根部２が緩勾配の屋根構造のように、傾斜屋根部２の傾斜が異なっていても、傾斜屋根部２の軒部の傾斜部化粧部材５として材軸方向に対して垂直に切った部材断面が略同一のものを用いることができる。
【００３７】
特に、傾斜部化粧部材５を押出成形方法で製造する場合では、様々なケースでも同一の型枠を用いることができる。
【００３８】
ここで、傾斜部化粧部材５が長手方向に分割された分割部材５ａ，５ｂ，・・・から成り、追加化粧部材４と連続する部分の分割部材５ａが工場等で予め接続された接続部構成部材６とされている。
【００３９】
このため、現場において、追加化粧部材４と傾斜部化粧部材５とが連続する部分の接続作業を省略することができ、施工性が良い。
【００４０】
また、追加化粧部材４と傾斜部化粧部材５とは、同一の型枠を用いて形成されている。
【００４１】
このため、別々の型枠を用意する必要が無く、その分、低コストで実施することができる。
【実施例２】
【００４２】
次に、実施例２について説明する。
【００４３】
なお、上記実施例１で説明した内容と同一乃至均等な部分の説明については同一符号を付して説明する。
【００４４】
図５は、実施例２の屋根構造の概略構成を示している。
【００４５】
この実施例２の屋根構造では、図６に示した接続部構成部材６を用い、軒換気構造の換気口７が形成されていることが上記実施例１の屋根構造と主に異なる。
【００４６】
すなわち、この図６に示した接続部構成部材６は、追加化粧部材４が、上側部分４ａと下側部分４ｂとから成り、これらの間隔をあけた部分と化粧部材３の下縁部とにより換気口７が形成されているので、軒換気構造の換気口を容易に形成することができる。
【００４７】
勿論、追加化粧部材４の上側部分４ａ及び下側部分４ｂも、傾斜部化粧部材５と同一の型枠を用いて形成することができる。
【００４８】
なお、他の構成及び作用効果については、上記実施例１と略同様であるので説明を省略する。
【００４９】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【００５０】
例えば、上記した実施例１，２では、笠木を有する形状の化粧部材３を用いて実施したが、これに限定されず、他の形状の化粧部材３を用いて実施してもよい。
【００５１】
また、上記した実施例１，２では、略同一のディテールを有する形状の追加化粧部材４及び傾斜部化粧部材５を用いて実施したが、これに限定されず、他のディテールを有する形状の追加化粧部材４及び傾斜部化粧部材５を用いて実施してもよい。
【００５２】
さらに、上記した実施例１，２では、傾斜屋根部２の勾配を略同一にして実施したが、これに限定されず、他の勾配にして実施してもよい。
【符号の説明】
【００５３】
Ｂ      建物
１      陸屋根部
２      傾斜屋根部
３      化粧部材
４      追加化粧部材
４ａ    追加化粧部材の上側部分
４ｂ    追加化粧部材の下側部分
５      傾斜部化粧部材
５ａ    分割部材
５ｂ    分割部材
６      接続部構成部材
７      換気口
【図１】
2014196610.tif 000003
【図２】
2014196610.tif 000004
【図３】
2014196610.tif 000005
【図４】
2014196610.tif 000006
【図５】
2014196610.tif 000007
【図６】
2014196610.tif 000008